【手続補正書】
【提出日】平成16年7月30日(2004.7.30)
【手続補正１】
【補正対象書類名】明細書
【補正対象項目名】特許請求の範囲
【補正方法】変更
【補正の内容】
【特許請求の範囲】
【請求項１】
内周面に外輪軌道を有し、使用時にも回転しない外輪相当部材と、外周面に内輪軌道を有し、使用時に回転する内輪相当部材と、上記外輪軌道と上記内輪軌道との間に転動自在に設けられた複数個の転動体と、上記内輪相当部材の一端部外周面にこの内輪相当部材と同心に固定された、円周方向に亙る特性を交互に且つ等間隔に変化させたエンコーダと、このエンコーダに対向する状態で上記外輪相当部材の一端開口部に、この一端開口部を塞ぐ状態で固定されたカバーと、このカバーの一部で上記エンコーダと対向する部分に形成された挿入孔と、検知部を有し、この検知部をこのカバーの挿入孔に挿通させて上記エンコーダの一部に対向させた状態で上記カバーの一部に支持され、上記エンコーダの特性の変化に対応して出力信号を変化させるセンサとを備えた回転速度検出装置付転がり軸受ユニットに於いて、上記カバーと上記外輪相当部材とにより一端を塞がれた空間の内側で、軸方向に関して上記エンコーダの被検知部と上記転動体との間に位置する、上記外輪相当部材の一端部にシールリングを支持固定すると共に、このシールリングを構成するシールリップを上記エンコーダの一部に、全周に亙り摺接させている事を特徴とする回転速度検出装置付転がり軸受ユニット。
【請求項２】
カバー及び外輪相当部材の嵌合部と互いに当接する面同士の間部分との何れにもシール部材を設けていない、請求項１に記載した回転速度検出装置付転がり軸受ユニット。
【請求項３】
エンコーダが耐食性を有する金属板により造られている、請求項１又は請求項２に記載した回転速度検出装置付転がり軸受ユニット。
【請求項４】
内周面に外輪軌道を有し、使用時にも回転しない外輪相当部材と、外周面に内輪軌道を有し、使用時に回転する内輪相当部材と、上記外輪軌道と上記内輪軌道との間に転動自在に設けられた複数個の転動体と、上記内輪相当部材の一端部外周面にこの内輪相当部材と同心に固定された、円周方向に亙る特性を交互に且つ等間隔に変化させたエンコーダと、このエンコーダに対向する状態で上記外輪相当部材の一端開口部に固定された、底板部を有するカバーと、このカバーの一部で上記エンコーダと対向する部分に形成された挿入孔と、検知部を有し、この検知部をこのカバーの挿入孔に挿通させて上記エンコーダの一部に対向させた状態で上記カバーの一部に支持され、上記エンコーダの特性の変化に対応して出力信号を変化させるセンサとを備えた回転速度検出装置付転がり軸受ユニットに於いて、上記挿入孔が、上記カバーの底板部の一部で上記エンコーダに対向する部分に軸方向に設けられたものであり、軸方向に関して上記カバーの底板部よりも上記転動体側で、上記エンコーダの被検知部とこれら転動体との間に位置する部分に、これら転動体を設置した空間の内外を遮断する為のシールリングを設けた事を特徴とする回転速度検出装置付転がり軸受ユニット。
【請求項５】
シールリングが、外輪相当部材の一端部に支持固定されたものであり、このシールリングを構成するシールリップがエンコーダの一部に、全周に亙り摺接している、請求項４に記載した回転速度検出装置付転がり軸受ユニット。
【請求項６】
カバー及び外輪相当部材の嵌合部と互いに当接する面同士の間部分との何れにもシール部材を設けていない、請求項４又は請求項５に記載した回転速度検出装置付転がり軸受ユニット。
【請求項７】
エンコーダが耐食性を有する金属板により造られている、請求項４〜６の何れかに記載した回転速度検出装置付転がり軸受ユニット。
【手続補正２】
【補正対象書類名】明細書
【補正対象項目名】００２３
【補正方法】変更
【補正の内容】
【００２３】
これに対して、図６に示した先発明の場合には、カバー１７ａを構成する円筒壁部３１の先端面に係止したＯリング３２、並びにセンサユニット３７の挿入部３９の外周面に係止したＯリング４１により、外輪１の内周面とハブ２及び内輪７の外周面との間で転動体９、９を設置した空間内に雨水や洗浄水等が入り込むのを防止している。但し、この空間内に雨水や洗浄水等が入り込むのを防止する為に２本のＯリング３２、４１を使用している為、これら両Ｏリング３２、４１を係止する為の係止溝の加工作業が面倒になる事と相まって、シールの為のコストが嵩む事が避けられない。
本発明の回転速度検出装置付転がり軸受ユニットは、この様な事情に鑑み、外輪に固定したカバーに対してセンサを支持した構造で、転動体を設置した部分に雨水や洗浄水等が入り込むのを有効に防止できる、安価な構造を実現すべく考えたものである。
【手続補正３】
【補正対象書類名】明細書
【補正対象項目名】００２４
【補正方法】変更
【補正の内容】
【００２４】
【課題を解決するための手段】
本発明の回転速度検出装置付転がり軸受ユニットのうち、請求項１〜３に記載した回転速度検出装置付転がり軸受ユニットは、前述した従来或は先発明の回転速度検出装置付転がり軸受ユニットと同様に、内周面に外輪軌道を有し、使用時にも回転しない外輪相当部材と、外周面に内輪軌道を有し、使用時に回転する内輪相当部材と、上記外輪軌道と上記内輪軌道との間に転動自在に設けられた複数個の転動体と、上記内輪相当部材の一端部外周面にこの内輪相当部材と同心に固定された、円周方向に亙る特性を交互に且つ等間隔に変化させたエンコーダと、このエンコーダに対向する状態で上記外輪相当部材の一端開口部に、この一端開口部を塞ぐ状態で固定されたカバーと、このカバーの一部で上記エンコーダと対向する部分に形成された挿入孔と、検知部を有し、この検知部をこのカバーの挿入孔に挿通させて上記エンコーダの一部に対向させた状態で上記カバーの一部に支持され、上記エンコーダの特性の変化に対応して出力信号を変化させるセンサとを備える。
特に、本発明の回転速度検出装置付転がり軸受ユニットのうち、請求項１に記載した回転速度検出装置付転がり軸受ユニットに於いては、上記カバーと上記外輪相当部材とにより一端を塞がれた空間の内側で、軸方向に関して上記エンコーダの被検知部と上記転動体との間に位置する、上記外輪相当部材の一端部にシールリングを支持固定すると共に、このシールリングを構成するシールリップを上記エンコーダの一部に、全周に亙り摺接させている。
又、請求項２に記載した回転速度検出装置付転がり軸受ユニットは、上述の請求項１に記載した回転速度検出装置付転がり軸受ユニットに於いて、上記カバー及び外輪相当部材の嵌合部と互いに当接する面同士の間部分との何れにもシール部材を設けていない。
又、請求項３に記載した回転速度検出装置付転がり軸受ユニットは、上述の請求項１又は請求項２に記載した回転速度検出装置付転がり軸受ユニットに於いて、上記エンコーダが耐食性を有する金属板により造られている。
更に、請求項４〜７に記載した回転速度検出装置付転がり軸受ユニットは、内周面に外輪軌道を有し、使用時にも回転しない外輪相当部材と、外周面に内輪軌道を有し、使用時に回転する内輪相当部材と、上記外輪軌道と上記内輪軌道との間に転動自在に設けられた複数個の転動体と、上記内輪相当部材の一端部外周面にこの内輪相当部材と同心に固定された、円周方向に亙る特性を交互に且つ等間隔に変化させたエンコーダと、このエンコーダに対向する状態で上記外輪相当部材の一端開口部に固定された、底板部を有するカバーと、このカバーの一部で上記エンコーダと対向する部分に形成された挿入孔と、検知部を有し、この検知部をこのカバーの挿入孔に挿通させて上記エンコーダの一部に対向させた状態で上記カバーの一部に支持され、上記エンコーダの特性の変化に対応して出力信号を変化させるセンサとを備える。
特に、請求項４に記載した回転速度検出装置付転がり軸受ユニットに於いては、上記挿入孔が、上記カバーの底板部の一部で上記エンコーダに対向する部分に軸方向に設けられたものであり、軸方向に関して上記カバーの底板部よりも上記転動体側で、上記エンコーダの被検知部と上記転動体との間に位置する部分に、これら転動体を設置した空間の内外を遮断する為のシールリングを設けている。
又、請求項５に記載した回転速度検出装置付転がり軸受ユニットは、上述の請求項４に記載した回転速度検出装置付転がり軸受ユニットに於いて、上記シールリングが、上記外輪相当部材の一端部に支持固定されたものであり、このシールリングを構成するシールリップが上記エンコーダの一部に、全周に亙り摺接している。
又、請求項６に記載した回転速度検出装置付転がり軸受ユニットは、上述の請求項４又は請求項５に記載した回転速度検出装置付転がり軸受ユニットに於いて、上記カバー及び外輪相当部材の嵌合部と互いに当接する面同士の間部分との何れにもシール部材を設けていない。
又、請求項７に記載した回転速度検出装置付転がり軸受ユニットは、上述の請求項４〜６の何れかに記載した回転速度検出装置付転がり軸受ユニットに於いて、上記エンコーダが耐食性を有する金属板により造られている。
【手続補正４】
【補正対象書類名】明細書
【補正対象項目名】００２５
【補正方法】変更
【補正の内容】
【００２５】
【作用】
上述の様に構成する本発明の回転速度検出装置付転がり軸受ユニットにより、懸架装置に対して車輪を回転自在に支持すると共に、この車輪の回転速度を検出する際の作用は、前述した従来或は先発明の回転速度検出装置付転がり軸受ユニットと同様である。
特に、本発明の回転速度検出装置付転がり軸受ユニットの場合には、１個のシールリングにより、外輪軌道と内輪軌道との間で複数の転動体を設置した空間内に雨水や洗浄水等が入り込む事を防止できる。従って、この空間内に充填したグリースを劣化させたり、上記外輪、内輪両軌道並びに上記各転動体の転動面を錆びさせる事がなく、優れた耐久性を有する回転速度検出装置付転がり軸受ユニットのコスト低減を図れる。又、外輪相当部材の肉厚が小さくて端面の幅が狭く、Ｏリングの取付スペースを確保する事が難しい場合にも、十分なシール性確保を図れる。
【手続補正５】
【補正対象書類名】明細書
【補正対象項目名】００２８
【補正方法】変更
【補正の内容】
【００２８】
この様なエンコーダ３ｂの大径部５８は、上記小径部５７を上記肩部５６に外嵌固定した状態で、上記外輪１及び内輪７の内端面よりも内方に突出する。そして、上記大径部５８の外周面に、センサユニット３７ａを構成するセンサ４ａを、ラジアル方向に亙る微小隙間を介して対向させている。本例の場合にこのセンサ４ａは、ホール素子、磁気抵抗素子等、磁束の量に応じて特性を変化させる磁気検出素子並びにこの磁気検出素子の出力波形を整える為の波形整形回路を組み込んだＩＣと永久磁石とにより構成する。この様なセンサ４ａを組み込んだ上記センサユニット３７ａは、上記外輪１の内端開口部に固定したカバー１７ａに、前述の図６〜１０に示した先発明の構造と同様にして、着脱自在に支持している。但し、本発明の場合には、上記センサユニット３７ａには、先発明の場合の様なＯリング４１は装着していない。又、上記カバー１７ａを構成する円筒壁部３１の先端面にも、前述した先発明の構造の様なシール部材である、Ｏリング３２（図６）を係止してはいない。更に、上記センサユニット３７ａの検出部であり上記大径部５８の外周面に対向するセンサ４ａは、このセンサユニット３７ａの先端部内周面側に配置している。
【手続補正６】
【補正対象書類名】明細書
【補正対象項目名】００２９
【補正方法】変更
【補正の内容】
【００２９】
一方、上記外輪１の内端部には、シールリング６１を内嵌固定している。このシールリング６１は、金属板を断面Ｌ字形に折り曲げて全体を円環状に形成した芯金６２と、ゴム、ビニル等の弾性材製で、この芯金６２の内周縁部に全周に亙って添着したシールリップ６３とにより構成している。そして、このシールリップ６３の先端縁を、上記エンコーダ３ｂを構成する小径部５７の外周面及び段部５９の外側面に、全周に亙って摺接させている。従って、上記外輪１の内周面と前記ハブ２ａ及び内輪７の外周面との間で転動体９、９を設置した空間６４の両端開口部のうち、内端開口部は、上記エンコーダ３ｂとシールリング６１とによりシールされる。この為、このシールリング６１は、軸方向に関して上記カバー１７ａの底板部３５よりも上記転動体９、９側で、軸方向に関して上記エンコーダ３ｂの被検知部である、大径部５８とこれら転動体９、９との間に位置する、この外輪１の内端部に支持固定される。又、上記シールリング６１は、軸方向に関して上記底板部３５よりも上記転動体９、９側で、上記エンコーダ３ｂの大径部５８と上記転動体９、９との間に位置する部分に設けられて、これら転動体９、９を設置した空間６４の内外を遮断する。尚、図示の例では、上記シールリップ６３の断面形状を二股に形成し、この二股部分の間にグリースを保持自在としている。このグリースは、上記シールリップ６３の先端縁と上記エンコーダ３ｂとの摺動部を潤滑し、この摺動部の抵抗の低減とシール性の向上とを図る。これに対して、上記空間６４の外端開口部は、前述した従来構造及び先発明の構造と同様に、シールリング１３によりシールしている。